(57)【要約】【課題】  部品の共通化やコンパクト化を有効に図ると共に、読み取り制御の共通化も図った画像読取装置を提供する。【解決手段】  原稿搬送経路３の両側に、搬送される原稿の表面側を読み取る表面側スキャナユニット４と裏面側を読み取る裏面側スキャナユニット５を備える。表面側スキャナユニット４と裏面側スキャナユニット５は同じ構成要素からなり、裏面側スキャナユニット５が、原稿搬送経路３に沿って搬送される原稿の搬送方向と直交する面方向の軸を中心として表面側スキャナユニット４を反転した姿勢で配置される。裏面側スキャナユニット５の本体フレームに対して装着されたＣＣＤセンサの姿勢が、表面側スキャナユニット４の本体フレームに対して装着されたＣＣＤセンサの姿勢とは１８０度回転された状態で装着される。【選択図】    図１
2008277878.tif 000002
【特許請求の範囲】
【請求項１】
原稿を搬送する原稿搬送経路の両側に、原稿搬送経路に沿って搬送される原稿の表面側を読み取る表面読取手段と、裏面側を読み取る裏面読取手段をそれぞれ備え、原稿の両面が読み取り可能とされた画像読取装置において、
前記表面読取手段と前記裏面読取手段とが同じ構成要素からなり、
前記裏面読取手段が、前記原稿搬送経路に沿って搬送される前記原稿の搬送方向と直交する面方向の軸を中心として前記表面読取手段を反転した姿勢で配置されると共に、裏面読取手段の本体フレームに対して装着された画像情報読み取り用のＣＣＤセンサの姿勢が、表面読取手段の本体フレームに対して装着された画像情報読み取り用のＣＣＤセンサの姿勢とは１８０度回転された状態で装着されていることを特徴とする画像読取装置。
【請求項２】
請求項１に記載の画像読取装置において、
前記表面読取手段および前記裏面読取手段のそれぞれの前記ＣＣＤセンサはＣＣＤ取付基板にそれぞれ取り付けられ、各ＣＣＤ取付基板がそれぞれの前記本体フレームに取り付けられた構造とされ、裏面読取手段のＣＣＤセンサは、ＣＣＤセンサが取り付けられたＣＣＤ取付基板ごと表面読取手段とは逆向きの姿勢で本体フレームに取り付けられていることを特徴とする画像読取装置。
【請求項３】
請求項１に記載の画像読取装置において、
前記表面読取手段および前記裏面読取手段のそれぞれの前記ＣＣＤセンサはＣＣＤ取付基板にそれぞれ取り付けられ、各ＣＣＤ取付基板がそれぞれの前記本体フレームに取り付けられた構造とされ、裏面読取手段のＣＣＤセンサは、ＣＣＤ取付基板に対して表面読取手段とは１８０度回転された状態で取り付けられていることを特徴とする画像読取装置。
【発明の詳細な説明】
【技術分野】
【０００１】
本発明は、原稿搬送経路に沿って搬送される原稿の両面を読み取り可能ないわゆる１パスタイプの画像読取装置に関するものである。
【背景技術】
【０００２】
この種の画像読取装置においては、原稿を原稿搬送経路に沿って１回搬送するだけで、２つのイメージセンサを用いて原稿の両面を光電的に読み取る方式であるため、スイッチバックタイプよりも読み取り時間を速くできる利点がある。そして、このような従来の１パスタイプの画像読取装置においては、イメージセンサとして、一方をＣＣＤセンサとし、他方をＣＩＳ（コンタクトイメージセンサ）とする場合が多い。（例えば、特許文献１参照。）。
【０００３】
【特許文献１】特開２００６−１１５１３４号公報
【発明の開示】
【発明が解決しようとする課題】
【０００４】
また、近年、カラー対応の画像読取装置が増加する傾向にある。一方、ＣＩＳはカラーの読み取りにはあまり向いていないため、原稿の表面側および裏面側を読み取る読取手段として、ＣＣＤセンサを用いたスキャナユニットを双方に採用することが考えられる。
【０００５】
例えば、図１に示されるように、原稿トレイ１から排紙トレイ２に至る原稿搬送経路３の両側に、原稿の表面側を読み取る表面側スキャナユニット４と原稿の裏面側を読み取る裏面側スキャナユニット５とを配置するＡＤＦ（Automatic Document Feeder）スキャナ６が考えられる。
【０００６】
そして、表面側と裏面側との各スキャナユニット４，５として、部品の共通化のため、同一のスキャナを採用した場合、図１に示されるように、表面側スキャナユニット４に対して裏面側スキャナユニット５をいわゆる反転した姿勢で配置することが、互いの光源の影響を受けずに、スペースの有効利用が図れて装置サイズのコンパクト化の観点からは好ましい。
【０００７】
しかしながら、このようにスキャナユニット４，５を配置すれば、図７および図８に示されるように、原稿搬送経路３に沿って搬送される原稿７の読み取り開始位置７ａ，７ｂと、ＣＣＤセンサの読み取り開始画素が、原稿７の表面側と裏面側とで逆転し、また、カラー読み取りの場合では、ＣＣＤセンサにより読み取る色ラインの順番も、表面側でＲ・Ｇ・Ｂの順に読み取る場合、裏面側ではＢ・Ｇ・Ｒの順に読み取ることとなる。
【０００８】
このため、裏面側では、読み取りライン毎に反転させる必要があり、また、カラーの合成も読み取り順を逆にする必要がある。従って、表面側スキャナユニット４で読み取った画像情報処理の制御と、裏面側スキャナユニット５で読み取った画像情報処理の制御とが異なる制御となり、別々の制御プログラムが必要となる。
【０００９】
そこで、本発明は上記点に鑑み、部品の共通化やコンパクト化を有効に図ると共に、読み取り制御の共通化も図った画像読取装置を提供することを目的とする。
【課題を解決するための手段】
【００１０】
上記課題を解決するための画像読取装置の技術的手段は、原稿を搬送する原稿搬送経路の両側に、原稿搬送経路に沿って搬送される原稿の表面側を読み取る表面読取手段と、裏面側を読み取る裏面読取手段をそれぞれ備え、原稿の両面が読み取り可能とされた画像読取装置において、前記表面読取手段と前記裏面読取手段とが同じ構成要素からなり、前記裏面読取手段が、前記原稿搬送経路に沿って搬送される前記原稿の搬送方向と直交する面方向の軸を中心として前記表面読取手段を反転した姿勢で配置されると共に、裏面読取手段の本体フレームに対して装着された画像情報読み取り用のＣＣＤセンサの姿勢が、表面読取手段の本体フレームに対して装着された画像情報読み取り用のＣＣＤセンサの姿勢とは１８０度回転された状態で装着されている点にある。
【００１１】
また、前記表面読取手段および前記裏面読取手段のそれぞれの前記ＣＣＤセンサはＣＣＤ取付基板にそれぞれ取り付けられ、各ＣＣＤ取付基板がそれぞれの前記本体フレームに取り付けられた構造とされ、裏面読取手段のＣＣＤセンサは、ＣＣＤセンサが取り付けられたＣＣＤ取付基板ごと表面読取手段とは逆向きの姿勢で本体フレームに取り付けられている構造としてもよい。
【００１２】
さらに、前記表面読取手段および前記裏面読取手段のそれぞれの前記ＣＣＤセンサはＣＣＤ取付基板にそれぞれ取り付けられ、各ＣＣＤ取付基板がそれぞれの前記本体フレームに取り付けられた構造とされ、裏面読取手段のＣＣＤセンサは、ＣＣＤ取付基板に対して表面読取手段とは１８０度回転された状態で取り付けられている構造としてもよい。
【発明の効果】
【００１３】
以上のように、本発明の画像読取装置によれば、表面読取手段と裏面読取手段とが同じ構成要素からなり、裏面読取手段が、原稿搬送経路に沿って搬送される原稿の搬送方向と直交する面方向の軸を中心として表面読取手段を反転した姿勢で配置されると共に、裏面読取手段の本体フレームに対して装着された画像情報読み取り用のＣＣＤセンサの姿勢が、表面読取手段の本体フレームに対して装着された画像情報読み取り用のＣＣＤセンサの姿勢とは１８０度回転された状態で装着されているため、部品の共通化や装置のコンパクト化が有効に図れると共に、それぞれの本体フレームに対して装着されたＣＣＤセンサを互いに１８０度回転された状態とする簡単の構成によって、ＣＣＤセンサの読み取り開始画素と原稿の読み取り開始位置を表面側と裏面側とで合わせることができ、また、カラー読み取りの場合でもＣＣＤセンサによるＲ・Ｇ・Ｂ等の色ラインの読み取り順番も合わせることができ、表面読取手段と裏面読取手段との読み取り制御の共通化も図ることができる。
【００１４】
また、表面読取手段および裏面読取手段のそれぞれのＣＣＤセンサはＣＣＤ取付基板にそれぞれ取り付けられ、各ＣＣＤ取付基板がそれぞれの本体フレームに取り付けられた構造とされ、裏面読取手段のＣＣＤセンサは、ＣＣＤセンサが取り付けられたＣＣＤ取付基板ごと表面読取手段とは逆向きの姿勢で本体フレームに取り付けられている構造とすれば、表面読取手段におけるＣＣＤセンサが取り付けられたＣＣＤ取付基板を逆向き姿勢で取り付けることによって裏面読取手段が容易に構成でき、ＣＣＤセンサが取り付けられたＣＣＤ取付基板の共通化も図れる利点がある。
【００１５】
さらに、表面読取手段および裏面読取手段のそれぞれのＣＣＤセンサはＣＣＤ取付基板にそれぞれ取り付けられ、各ＣＣＤ取付基板がそれぞれの本体フレームに取り付けられた構造とされ、裏面読取手段のＣＣＤセンサは、ＣＣＤ取付基板に対して表面読取手段とは１８０度回転された状態で取り付けられている構造とすれば、ＣＣＤ取付基板に対するＣＣＤセンサの取り付け姿勢を逆向きとすることによって、表面読取手段用のＣＣＤ取付基板と裏面読取手段用のＣＣＤ取付基板が容易に構成でき、ＣＣＤセンサが取り付けられるＣＣＤ取付基板の共通化が図れる利点がある。
【発明を実施するための最良の形態】
【００１６】
以下、本発明の第１の実施形態にかかる画像読取装置を図面に基づいて説明すると、図１に示すように、画像読取装置としてのＡＤＦスキャナ６は、前述の如く、下側に配置された原稿トレイ１から上側に配置された排紙トレイ２に至る原稿搬送経路３を備えている。そして、原稿搬送経路３の両側に、原稿７の表面側を読み取るために表面読取手段としての表面側スキャナユニット４と、原稿７の裏面側を読み取るための裏面読取手段としての裏面側スキャナユニット５とがそれぞれ配置されている。
【００１７】
また、原稿トレイ１上にセットされた原稿７を一枚毎送り出すための分離ローラ８や、原稿搬送経路３に沿って原稿７を順次、搬送するための複数の搬送ローラ９や、ＡＤＦスキャナ６を駆動制御するための図示省略の制御部等が備えられている。
【００１８】
表面側スキャナユニット４や裏面側スキャナユニット５は、原稿７へ光を照射し、原稿７からの反射光を電気信号に変換して画像読み取りを行うラインセンサタイプのＣＣＤ読取ユニットであり、部品の共通化のため、同じ構成要素から構成しており、図２や図３に示すように、所定形状の筐体１１に、光源１２、複数の反射ミラー１３、集光レンズ１４、ＣＣＤセンサ１５等が配設された構造とされている。
【００１９】
そして、図２や図３に示すように、筐体１１の上面には光源１２が幅方向に沿って配置されており、筐体１１内には各反射ミラー１３、集光レンズ１４およびＣＣＤセンサ１５が所望位置にそれぞれ配設されている。また、筐体１１には光源１２に沿って略平行に開口１１ａが設けられており、この開口１１ａから原稿７の反射光Ｒが筐体１１内に進入するように構成されている。
【００２０】
筐体１１内に進入した反射光Ｒは、適宜配設された各反射ミラー１３により順次反射されて集光レンズ１４へ導かれる。このような反射ミラー１３の配置はＣＣＤセンサ１５に反射光Ｒを結像するために必要な光路長により適宜設定される。そして、集光レンズ１４に導かれた反射光ＲはＣＣＤセンサ１５に結像されて、ＣＣＤセンサ１５により電気信号に変換されて出力される。この電気信号に基づいて原稿７の画像情報が、記録部により記録用紙に記録され、または送信部により送信され、もしくは記憶部に記憶されるが、これら記録部、送信部、記憶部等は公知の構成を適宜採用すればよい。
【００２１】
また、ＣＣＤセンサ１５は、所定の回路が形成されたＣＣＤ取付基板１６の所定位置に取り付けられており、このＣＣＤ取付基板１６が筐体１１を構成する本体フレーム１１ｂに、ネジ１７締結等により着脱自在に取り付ける構造とされている。ＣＣＤ取付基板１６は図４に示されるように、ＣＣＤセンサ１５が取り付けられた位置の両側に、ネジ１７が挿通されるネジ挿通孔１６ａがそれぞれ形成されており、他の部位には、コンデンサ１９等の各種電子部品や電源や信号線接続用のコネクタ部２０が適宜備えられている。
【００２２】
そして、図４に示されるＣＣＤ取付基板１６の姿勢で、図２の実線で示されるようにＣＣＤ取付基板１６を取り付けたスキャナユニットを表面側スキャナユニット４とした場合、裏面側スキャナユニット５は、図５に示されるように、ＣＣＤ取付基板１６の姿勢を上下逆向きとした状態で、図２の仮想線で示されるように、各ネジ挿通孔１６ａを利用してネジ１７締結すればよい。
【００２３】
また、ＡＤＦスキャナ６の本体６ａに対する表面側スキャナユニット４や裏面側スキャナユニット５の配設に際しては、図１に示されるように、裏面側スキャナユニット５を、原稿搬送経路３に沿って搬送される原稿７の搬送方向と直交する面方向の軸を中心として表面側スキャナユニット４を反転した姿勢で配置すればよい。
【００２４】
本実施形態におけるＡＤＦスキャナ６によれば、原稿７の両面における画像情報の読み取りに際して、図２に示されるように、スキャナユニット４，５に対する原稿７の搬送方向が、表面側スキャナユニット４の場合には、矢印Ｆ方向から搬送されてくる状態となり、また、裏面側スキャナユニット５の場合には、矢印Ｂ方向から搬送されてくる状態となる。
【００２５】
この際、表面側スキャナユニット４の本体フレーム１１ｂに対して装着されているＣＣＤセンサ１５の姿勢と、裏面側スキャナユニット５の本体フレーム１１ｂに対して装着されているＣＣＤセンサ１５の姿勢とが逆向きの姿勢とされているため、ＣＣＤセンサ１５の読み取り開始画素と原稿７の読み取り開始位置を表面側と裏面側とで合わせることができ、従って、カラー読み取りの場合であってもＣＣＤセンサ１５によるＲ・Ｇ・Ｂ等の色ラインの読み取り順番も合わせることができ、ここに表面側スキャナユニット４と裏面側スキャナユニット５との読み取り制御の共通化が図れる。
【００２６】
また、各部品においても、単に本体フレーム１１ｂに対して、ＣＣＤセンサ１５が取り付けられたＣＣＤ取付基板１６を逆向き姿勢で取り付けるという簡単な構成によって、裏面側スキャナユニット５を容易に構成でき、ＣＣＤセンサが取り付けられたＣＣＤ取付基板の共通化やその他の部品の共通化、即ち全ての部品の共通化が図れる利点がある。
【００２７】
さらに、表面側スキャナユニット４に対して裏面側スキャナユニット５をいわゆる反転した姿勢で配置しているため、互いのスキャナユニット４，５に備えられている光源１２の影響を受けない範囲でできるだけ接近配置でき、スペースの有効利用が図れて装置のコンパクト化も有効に図れる利点がある。
【００２８】
図６は第２の実施形態におけるＣＣＤ取付基板１６を示しており、第１の実施形態と同様構成部分は同一符号を付し、その説明を省略する。
【００２９】
即ち、本実施形態においては、裏面側スキャナユニット５用のＣＣＤ取付基板１６に対してＣＣＤセンサ１５を取り付けるに際し、図４に示されるような表面側スキャナユニット４用のＣＣＤ取付基板１６に対するＣＣＤセンサ１５の取り付け姿勢とは、１８０度回転された状態で取り付けられた構造とされている。そして、その他の構成は第１の実施形態と同様に構成されている。
【００３０】
従って、本実施形態においても、表面側スキャナユニット４の本体フレーム１１ｂに対して装着されているＣＣＤセンサ１５の姿勢と、裏面側スキャナユニット５の本体フレーム１１ｂに対して装着されているＣＣＤセンサ１５の姿勢とが逆向きの姿勢となり、ＣＣＤセンサ１５の読み取り開始画素と原稿７の読み取り開始位置を表面側と裏面側とで合わせることができ、カラー読み取りの場合であってもＣＣＤセンサ１５によるＲ・Ｇ・Ｂ等の色ラインの読み取り順番も合わせることができ、ここに表面側スキャナユニット４と裏面側スキャナユニット５との読み取り制御の共通化が図れる。
【００３１】
また、ＣＣＤ取付基板１６に対するＣＣＤセンサ１５の取り付け姿勢を逆向きとすることによって、表面側スキャナユニット４用のＣＣＤ取付基板１６と裏面側スキャナユニット５用のＣＣＤ取付基板１６が容易に構成でき、各部品の共通化や装置のコンパクト化が有効に図れる利点がある。
【００３２】
さらに、ＣＣＤセンサ１５の取り付け姿勢を逆向きにしただけであり、両スキャナユニット４，５に対する筐体１１の本体フレーム１１ｂに対するＣＣＤ取付基板１６の取り付け姿勢は、ともに同じであり、従って、ＣＣＤ取付基板１６のコネクタ部２０の位置も双方同じ配置位置となるため、筐体１１に装着されるその他の部品の配置の共通化が図れる利点もある。
【００３３】
なお、画像読取装置としてＡＤＦスキャナ６に適用した構造を示しているが、１パスタイプで両面を読み取る形式のコピー機やファクシミリや複合機等であってもよく、何ら上記実施形態に限られない。
【図面の簡単な説明】
【００３４】
【図１】本発明の第１の実施形態にかかるスキャナの概略説明図である。
【図２】スキャナユニットの斜視図である。
【図３】スキャナユニットの断面側面図である。
【図４】表面側スキャナユニットにおけるＣＣＤ取付基板の説明図である。
【図５】裏面側スキャナユニットにおけるＣＣＤ取付基板の説明図である。
【図６】第２の実施形態にかかる裏面側スキャナユニットのＣＣＤ取付基板の説明図である。
【図７】原稿の表面側における１画素目の読み取り開始位置の説明図である。
【図８】原稿の裏面側における１画素目の読み取り開始位置の説明図である。
【符号の説明】
【００３５】
３  原稿搬送経路
４  表面側スキャナユニット
５  裏面側スキャナユニット
６  ＡＤＦスキャナ
７  原稿
１１  筐体
１１ｂ  本体フレーム
１５  ＣＣＤセンサ
１６  ＣＣＤ取付基板
【図１】
2008277878.tif 000003
【図２】
2008277878.tif 000004
【図３】
2008277878.tif 000005
【図４】
2008277878.tif 000006
【図５】
2008277878.tif 000007
【図６】
2008277878.tif 000008
【図７】
2008277878.tif 000009
【図８】
2008277878.tif 000010